(57)【要約】【課題】温度補償を行わずに所望の中間色を表示することができる電気泳動表示装置を提供すること。【解決手段】制御部は、第１色及び第２色と異なる第３色を表示させる領域を構成する複数の画素のうちの一部である第１画素について、第１色を表示させた状態から第２電圧印加を行う第１表示制御を行い、第１画素と異なる第２画素について、第２色を表示させた状態から第１電圧印加を行う第２表示制御を行う、電気泳動表示装置。【選択図】図１
2017138365.tif 000002
【特許請求の範囲】
【請求項１】
互いに対向させられた第１基板と第２基板と、
前記第１基板に設けられ、複数の画素に配置された複数の第１電極と、
前記第２基板に設けられた第２電極と、
前記第１基板と前記第２基板との間に設けられ、１種類以上の粒子及び前記粒子を分散させる分散媒を含む分散液と、
前記画素において、前記第２電極から前記第１電極に向かう電界を生じさせる第１電圧印加を行うことによって当該画素の表示面に第１色を表示させる制御と、前記第２電極から前記第１電極へ向かう電界を生じさせる第２電圧印加を行うことによって当該画素の表示面に前記第１色と異なる第２色を表示させる制御を行う制御部と、
を備え、
前記制御部は、前記第１色及び前記第２色と異なる第３色を表示させる領域を構成する複数の前記画素のうちの一部である第１画素について、前記第１色を表示させた状態から前記第２電圧印加を行う第１表示制御を行い、前記第１画素と異なる第２画素について、前記第２色を表示させた状態から前記第１電圧印加を行う第２表示制御を行う、
電気泳動表示装置。
【請求項２】
前記第３色は、複数あり、
前記制御部は、前記領域における前記第１画素の数に対する前記第２画素の数の割合を変化させ、当該割合に応じた前記第３色を前記領域に表示させる、
請求項１に記載の電気泳動表示装置。
【請求項３】
温度を検出する温度検出部を備え、
前記制御部は、前記温度検出部が検出した温度に応じて、前記領域における前記第１画素の数に対する前記第２画素の数の割合を変化させ、当該割合に応じた前記第３色を前記領域に表示させる、
請求項１又は２に記載の電気泳動表示装置。
【請求項４】
温度を検出する温度検出部を備え、
前記制御部は、前記温度検出部が検出した温度に応じて、前記第１画素に対する前記第２電圧印加における電圧波形と、前記第２画素に対する前記第１電圧印加における電圧波形とを変化させる、
請求項１又は２に記載の電気泳動表示装置。
【請求項５】
前記制御部は、所定時間が経過する毎に、それぞれの前記画素について行う制御を、前記第１表示制御と前記第２表示制御とで切り替える、
請求項１から４のうちいずれか一項に記載の電気泳動表示装置。
【請求項６】
請求項１から５のうちいずれか一項に記載の電気泳動表示装置を備える、
電子機器。
【請求項７】
互いに対向させられた第１基板と第２基板と、
前記第１基板に設けられ、複数の画素に配置された複数の第１電極と、
前記第２基板に設けられた第２電極と、
前記第１基板と前記第２基板との間に設けられ、１種類以上の粒子及び前記粒子を分散させる分散媒を含む分散液と、
を備える電気泳動表示装置を駆動させる駆動装置であって、
前記画素において、前記第２電極から前記第１電極に向かう電界を生じさせる第１電圧印加を行うことによって当該画素の表示面に第１色を表示させる制御と、前記第２電極から前記第１電極へ向かう電界を生じさせる第２電圧印加を行うことによって当該画素の表示面に前記第１色と異なる第２色を表示させる制御を行う制御部、
を備え、
前記制御部は、前記第１色及び前記第２色と異なる第３色を表示させる領域を構成する複数の前記画素のうちの一部である第１画素について、前記第１色を表示させた状態から前記第２電圧印加を行う第１表示制御を行い、前記第１画素と異なる第２画素について、前記第２色を表示させた状態から前記第１電圧印加を行う第２表示制御を行う、
駆動装置。
【請求項８】
互いに対向させられた第１基板と第２基板と、
前記第１基板に設けられ、複数の画素に配置された複数の第１電極と、
前記第２基板に設けられた第２電極と、
前記第１基板と前記第２基板との間に設けられ、１種類以上の粒子及び前記粒子を分散させる分散媒を含む分散液と、
を備える電気泳動表示装置を駆動させる駆動方法であって、
前記画素において、前記第２電極から前記第１電極に向かう電界を生じさせる第１電圧印加を行うことによって当該画素の表示面に第１色を表示させる制御と、前記第２電極から前記第１電極へ向かう電界を生じさせる第２電圧印加を行うことによって当該画素の表示面に前記第１色と異なる第２色を表示させる制御を行い、
前記第１色及び前記第２色と異なる第３色を表示させる領域を構成する複数の前記画素のうちの一部である第１画素について、前記第１色を表示させた状態から前記第２電圧印加を行う第１表示制御を行い、
前記第１画素と異なる第２画素について、前記第２色を表示させた状態から前記第１電圧印加を行う第２表示制御を行う、
駆動方法。
【発明の詳細な説明】
【技術分野】
【０００１】
この発明は、電気泳動表示装置、電子機器、駆動装置、及び駆動方法に関する。
【背景技術】
【０００２】
電気泳動粒子を用いて表示画像を表示させる電気泳動表示装置（ＥＰＤ：Electrophoretic  Display）において、電気泳動粒子の色とは異なる他の色（中間色、中間調）を表示させる方法の研究や開発が行われている。このような電気泳動表示装置では、表示させる中間色が温度によって変化することが知られている。
【０００３】
これに関し、電気泳動粒子に印加する電圧及び当該電圧の印加時間を温度に応じて変化させることにより、温度による中間色の変化を抑制する電気光学装置が知られている（特許文献１参照）。
【先行技術文献】
【特許文献】
【０００４】
【特許文献１】特開２０１０−１７００３０号公報
【発明の概要】
【発明が解決しようとする課題】
【０００５】
しかしながら、このような電気光学装置は、温度を検出する温度センサーや温度補償制御回路を備えなければ、温度による中間色の変化を抑制することができないため、設計及び組み立てが複雑になるとともに、コストが高くなる場合があった。
【０００６】
そこで本発明は、上記従来技術の問題に鑑みてなされたものであり、温度補償を行わずに所望の中間色を表示することができる電気泳動表示装置、電子機器、駆動装置、及び駆動方法を提供する。
【課題を解決するための手段】
【０００７】
本発明の一態様は、互いに対向させられた第１基板と第２基板と、前記第１基板に設けられ、複数の画素に配置された複数の第１電極と、前記第２基板に設けられた第２電極と、前記第１基板と前記第２基板との間に設けられ、１種類以上の粒子及び前記粒子を分散させる分散媒を含む分散液と、前記画素において、前記第２電極から前記第１電極に向かう電界を生じさせる第１電圧印加を行うことによって当該画素の表示面に第１色を表示させる制御と、前記第２電極から前記第１電極へ向かう電界を生じさせる第２電圧印加を行うことによって当該画素の表示面に前記第１色と異なる第２色を表示させる制御を行う制御部と、を備え、前記制御部は、前記第１色及び前記第２色と異なる第３色を表示させる領域を構成する複数の前記画素のうちの一部である第１画素について、前記第１色を表示させた状態から前記第２電圧印加を行う第１表示制御を行い、前記第１画素と異なる第２画素について、前記第２色を表示させた状態から前記第１電圧印加を行う第２表示制御を行う、電気泳動表示装置である。
この構成により、電気泳動表示装置は、第１画素について第１表示制御を行い、第２画素について第２表示制御を行う。これにより、電気泳動表示装置は、温度による第１色の変化と、当該温度による第２色の変化とが打ち消しあうため、温度補償を行わずに所望の第３色を表示することができる。
【０００８】
また、本発明の他の態様は、電気泳動表示装置において、前記第３色は、複数あり、前記制御部は、前記領域における前記第１画素の数に対する前記第２画素の数の割合を変化させ、当該割合に応じた前記第３色を前記領域に表示させる、構成が用いられてもよい。
この構成により、電気泳動表示装置は、第３色を表示させる領域における第１画素の数に対する第２画素の数の割合を変化させ、当該割合に応じた第３色を当該領域に表示させる。これにより、電気泳動表示装置は、温度変化があっても、より確実に所望する第３色を表示することができる。
【０００９】
また、本発明の他の態様は、電気泳動表示装置において、温度を検出する温度検出部を備え、前記制御部は、前記温度検出部が検出した温度に応じて、前記領域における前記第１画素の数に対する前記第２画素の数の割合を変化させ、当該割合に応じた前記第３色を前記領域に表示させる、構成が用いられてもよい。
この構成により、電気泳動表示装置は、温度検出部が検出した温度に応じて、第３色を表示させる領域における第１画素の数に対する第２画素の数の割合を変化させ、当該割合に応じた第３色を当該領域に表示させる。これにより、電気泳動表示装置は、温度変化があっても、より確実に所望の第３色を表示することができる。
【００１０】
また、本発明の他の態様は、電気泳動表示装置において、温度を検出する温度検出部を備え、前記制御部は、前記温度検出部が検出した温度に応じて、前記第１画素に対する前記第２電圧印加における電圧波形と、前記第２画素に対する前記第１電圧印加における電圧波形とを変化させる、構成が用いられてもよい。
この構成により、電気泳動表示装置は、温度検出部が検出した温度に応じて、第１画素に対する第２電圧印加における電圧波形と、第２画素に対する第１電圧印加における電圧波形とを変化させる。これにより、電気泳動表示装置は、温度変化があっても、より確実に所望の第３色を表示することができる。
【００１１】
また、本発明の他の態様は、電気泳動表示装置において、前記制御部は、所定時間が経過する毎に、それぞれの前記画素について行う制御を、前記第１表示制御と前記第２表示制御とで切り替える、構成が用いられてもよい。
この構成により、電気泳動表示装置は、所定時間が経過する毎に、それぞれの画素について行う制御を、第１表示制御と第２表示制御とで切り替える。これにより、電気泳動表示装置は、ＤＣ（Direct  Current）印加バランスを均一化することができる。
【００１２】
また、本発明の他の態様は、上記のいずれかに記載の電気泳動表示装置を備える、電子機器である。
この構成により、電子機器は、第１画素について第１表示制御を行い、第２画素について第２表示制御を行う。これにより、電子機器は、温度による第１色の変化と、当該温度による第２色の変化とが打ち消しあうため、温度補償を行わずに所望の第３色を表示することができる。
【００１３】
また、本発明の他の態様は、互いに対向させられた第１基板と第２基板と、前記第１基板に設けられ、複数の画素に配置された複数の第１電極と、前記第２基板に設けられた第２電極と、前記第１基板と前記第２基板との間に設けられ、１種類以上の粒子及び前記粒子を分散させる分散媒を含む分散液と、を備える電気泳動表示装置を駆動させる駆動装置であって、前記画素において、前記第２電極から前記第１電極に向かう電界を生じさせる第１電圧印加を行うことによって当該画素の表示面に第１色を表示させる制御と、前記第２電極から前記第１電極へ向かう電界を生じさせる第２電圧印加を行うことによって当該画素の表示面に前記第１色と異なる第２色を表示させる制御を行う制御部、を備え、前記制御部は、前記第１色及び前記第２色と異なる第３色を表示させる領域を構成する複数の前記画素のうちの一部である第１画素について、前記第１色を表示させた状態から前記第２電圧印加を行う第１表示制御を行い、前記第１画素と異なる第２画素について、前記第２色を表示させた状態から前記第１電圧印加を行う第２表示制御を行う、駆動装置である。
この構成により、駆動装置は、第１画素について第１表示制御を行い、第２画素について第２表示制御を行う。これにより、駆動装置は、温度による第１色の変化と、当該温度による第２色の変化とが打ち消しあうため、温度補償を行わずに所望の第３色を表示することができる。
【００１４】
また、本発明の他の態様は、互いに対向させられた第１基板と第２基板と、前記第１基板に設けられ、複数の画素に配置された複数の第１電極と、前記第２基板に設けられた第２電極と、前記第１基板と前記第２基板との間に設けられ、１種類以上の粒子及び前記粒子を分散させる分散媒を含む分散液と、を備える電気泳動表示装置を駆動させる駆動方法であって、前記画素において、前記第２電極から前記第１電極に向かう電界を生じさせる第１電圧印加を行うことによって当該画素の表示面に第１色を表示させる制御と、前記第２電極から前記第１電極へ向かう電界を生じさせる第２電圧印加を行うことによって当該画素の表示面に前記第１色と異なる第２色を表示させる制御を行い、前記第１色及び前記第２色と異なる第３色を表示させる領域を構成する複数の前記画素のうちの一部である第１画素について、前記第１色を表示させた状態から前記第２電圧印加を行う第１表示制御を行い、前記第１画素と異なる第２画素について、前記第２色を表示させた状態から前記第１電圧印加を行う第２表示制御を行う、駆動方法である。
この構成により、駆動方法は、第１画素について第１表示制御を行い、第２画素について第２表示制御を行う。これにより、駆動方法は、温度による第１色の変化と、当該温度による第２色の変化とが打ち消しあうため、温度補償を行わずに所望の中間色を表示することができる。
【００１５】
以上により、電気泳動表示装置、電子機器、駆動装置、及び駆動方法は、第１画素について第１表示制御を行い、第２画素について第２表示制御を行う。これにより、電気泳動表示装置、電子機器、駆動装置、及び駆動方法は、温度による第１色の変化と、当該温度による第２色の変化とが打ち消しあうため、温度補償を行わずに所望の中間色を表示することができる。
【図面の簡単な説明】
【００１６】
【図１】電気泳動表示装置１の構成の一例を示す図である。
【図２】画素２の回路の構成例を示す図である。
【図３】画像生成部１１１の構成例を示す図である。
【図４】表示部３の温度が温度Ｔ１である場合における第１画素Ｐ１に表示される中間色Ｃ１と、第２画素Ｐ２に表示される中間色Ｃ２との差を例示する図である。
【図５】表示部３の温度による中間色Ｃ１及び中間色Ｃ２の変化を例示する図である。
【図６】表示部３の画像が表示される領域のうちの中間色表示領域の一例を示す図である。
【図７】ユーザーによって中間色表示領域Ｍ１に表示されていると認識される中間色Ｃ５と、第１画素Ｐ１の中間色と、第２画素Ｐ２の中間色とのそれぞれの温度変化を例示する図である。
【図８】制御部１０１が第１画素Ｐ１に中間色Ｃ１を表示させる処理の流れの一例を示すフローチャートである。
【図９】図８に示したフローチャートにおける処理の流れにおいて、第１画素Ｐ１に印加する電圧と当該電圧を印加する時間とを示す電圧波形の一例を示す図である。
【図１０】制御部１０１が第２画素Ｐ２に中間色Ｃ２を表示させる処理の流れの一例を示すフローチャートである。
【図１１】図１０に示したフローチャートにおける処理の流れにおいて、第２画素Ｐ２に印加する電圧と当該電圧を印加する時間とを示す電圧波形の一例を示す図である。
【図１２】表示部３の画像が表示される領域のうちの中間色表示領域の他の例を示す図である。
【図１３】中間色表示領域Ｍ１において第１画素Ｐ１の数に対する第２画素Ｐ２の数の割合を変化させずに、中間色表示領域Ｍ１における第１画素Ｐ１と第２画素Ｐ２との分布を変化させる方法の一例を説明する図である。
【図１４】中間色表示領域Ｍ１において第１画素Ｐ１の数に対する第２画素Ｐ２の数の割合を変化させずに、中間色表示領域Ｍ１における第１画素Ｐ１と第２画素Ｐ２との分布を変化させる方法の他の例を説明する図である。
【図１５】電子機器の一例である電子ブック５０１を示す斜視図である。
【図１６】電子機器の一例である腕時計５５１を示す斜視図である。
【図１７】電子機器の一例である電子ペーパー５７１を示す斜視図である。
【発明を実施するための形態】
【００１７】
＜実施形態＞
以下、本発明の実施形態に係る電気泳動表示装置１について図面を参照して説明する。
【００１８】
＜電気泳動表示装置の構成＞
まず、電気泳動表示装置１の構成について説明する。図１は、電気泳動表示装置１の構成の一例を示す図である。図１には、説明の便宜上、互いに直交するＸ軸及びＹ軸を示してある。
電気泳動表示装置１は、表示部３と、走査線駆動回路６と、データ線駆動回路７と、制御部１０１を備える。
【００１９】
表示部３には、画素２が、Ｙ軸方向に向かってｍ個、Ｘ軸方向に向かってｎ個のマトリクス状に形成されている。本実施形態では、ｍ及びｎはそれぞれ、２以上の整数である。
走査線駆動回路６は、表示部３をＸ軸方向に向かって延在する複数の走査線４（Ｙ１、Ｙ２、…、Ｙｍ）を介して画素２に接続されている。走査線４毎にｎ個の画素２が接続されている。
データ線駆動回路７は、表示部３をＹ軸方向に沿って延在する複数のデータ線５（Ｘ１、Ｘ２、…、Ｘｎ）を介して画素２に接続されている。データ線５毎にｍ個の画素２が接続されている。
【００２０】
本実施形態では、制御部１０１は、走査線駆動回路６とデータ線駆動回路７の動作を制御する。制御部１０１は、例えば、集積回路を用いて構成される。
【００２１】
図２は、画素２の回路の構成例を示す図である。本実施形態では、各画素２の回路の構成は同じである。なお、各画素２の一部又は全部の回路の構成は、互いに異なる構成であってもよい。
画素２は、選択スイッチＴＦＴ２４と、メモリー回路であるコンデンサー２５と、画像生成部１１１を備える。画像生成部１１１は、画素電極２０２と、共通電極２０１と、これらの間に設けられる電気泳動の分散液を備える。
【００２２】
この一例において、すべての画素２の共通電極２０１には、図１に示した共通電極電源配線１５が接続されている。また、共通電極電源配線１５には、定電位が印加されていて、この電位を基準、すなわち０［Ｖ］とする。定電位は、一定の電位のことである。コンデンサー２５の一端には、任意の定電位が印加され、本実施形態では共通電極電源配線１５と接続されることによって０［Ｖ］が印加されている。
【００２３】
選択スイッチＴＦＴ２４のドレインには、コンデンサー２５の他端と画素電極２０２とが接続されている。コンデンサー２５の他端は、共通電極電源配線１５が接続されていない方のコンデンサーの一端のことである。選択スイッチＴＦＴ２４のゲートには、図１に示した走査線駆動回路６の走査線Ｙ１〜Ｙｍが行毎に接続され、選択スイッチＴＦＴ２４のソース線には、データ線駆動回路７のデータ線Ｘ１〜Ｘｎが列毎に接続されている。
【００２４】
図１に戻る。走査線駆動回路６は、走査線Ｙ１〜Ｙｍを順次走査して、いずれか１本の走査線４を選択し、選択電圧を印加する。選択電圧は、この一例において、画素２の選択スイッチＴＦＴ２４をオン状態にするゲート電圧のことである。一方、残りの選択されていない走査線４には、非選択電圧を印加する。非選択電圧は、この一例において、画素２の選択スイッチＴＦＴ２４をオフ状態にするゲート電圧のことである。データ線駆動回路７は、データ線５に電圧Ｖ（＞０［Ｖ］）、０［Ｖ］、−Ｖの３値の電圧のいずれかを、上位機種からの指示で印加する。
【００２５】
従って、ある行に対応した走査線４に選択電圧を印加した状態で、各列のデータ線５に電圧Ｖ、０［Ｖ］、−Ｖの３値の電圧のいずれかを印加すると、当該行当該列の画素２のコンデンサー２５には、データ線５に印加した電圧が印加されて保持される。すなわち、選択状態から非選択状態に移行した場合であっても、コンデンサー２５の電圧は変化しない。
【００２６】
以上により、制御部１０１は、走査線４を順次走査することによって、１巡する周期単位（Ｔとする）でコンデンサー２５に印加する電圧を電圧Ｖ、０［Ｖ］、−Ｖのいずれかに設定する。そして、コンデンサー２５の他端が画素電極２０２に接続されているため、個々の画素２の画素電極２０２に独立に電圧Ｖ、０Ｖ、−［Ｖ］のいずれかを、周期単位Ｔの整数倍の任意時間印加することが出来る。以下では、画素電極２０２に電圧Ｖ、０［Ｖ］、−Ｖのいずれかを任意時間印加する説明において、このような印加シーケンスの説明を省略する。
【００２７】
図３は、画像生成部１１１の構成例を示す図である。図３は、電気泳動表示装置１における画像生成部１１１（表示部３の画素２の一部）の部分断面図である。
画像生成部１１１は、複数個の隔壁である隔壁２２３−１〜隔壁２２３−３と、対向基板２２１に設けられた共通電極２０１と、素子基板２２２に設けられた複数（本実施形態では、ｍ×ｎ）個の画素電極２０２である画素電極２０２−１、画素電極２０２−２と、分散媒２１１と、１種類以上の複数の粒子とを備える。以下では、一例として、１種類以上の粒子が、複数の負に帯電した白色粒子２１２と、複数の正に帯電した黒色粒子２１３との２種類の粒子である場合について説明する。分散媒２１１と、白色粒子２１２と、黒色粒子２１３により、分散液が構成されている。なお、隔壁で閉ざされた閉空間の一部には画素２が設けられていない構成であってもよく、また、２以上の画素２が１つの閉空間に形成される構成であってもよく、更には、画素電極２０２部分に隔壁があってもよい。また、この一例において、画像生成部１１１は、対向基板２２１と素子基板２２２とを含まない構成であるが、これに代えて、対向基板２２１と素子基板２２２とのうちいずれか一方又は両方を含む構成であってもよい。
ここで、白色粒子２１２は白色に対応する帯電した電気泳動粒子であり、黒色粒子２１３は黒色に対応する帯電した電気泳動粒子である。分散媒２１１は、白色粒子２１２及び黒色粒子２１３を分散させる液体である。
【００２８】
対向基板２２１には、一方の面に、共通電極２０１が設けられている。対向基板２２１は、第２基板の一例である。また、共通電極２０１は、第２電極の一例である。また、共通電極２０１の対向基板２２１側の面は、表示部３において画像を表示する面を構成する各画素２の表示面の一例である。
素子基板２２２には、一方の面に、画素電極２０２−１、画素電極２０２−２のそれぞれが設けられている。素子基板２２２は、第１基板の一例である。また、画素電極２０２−１、画素電極２０２−２のそれぞれは、第１電極の一例である。
素子基板２２２と対向基板２２１とは、共通電極２０１、画素電極２０２−１、画素電極２０２−２のそれぞれが内側となり、共通電極２０１と画素電極２０２−１及び画素電極２０２−２とが互いに対向するように配置されている。
素子基板２２２と対向基板２２１との間に備えられた複数個の隔壁２２３−１〜隔壁２２３−３により、素子基板２２２と対向基板２２１との間の領域が各画素２に対応する複数の領域に区分されている。それぞれの各画素２に対応する領域に、１個の画素電極２０２（図３に示した例では、画素電極２０２−１や画素電極２０２−２）が設けられている。
【００２９】
素子基板２２２は、例えば、ガラスあるいはプラスティック等からなる基板である。素子基板２２２上に画素電極２０２−１、画素電極２０２−２が形成されている。画素電極２０２−１、画素電極２０２−２は、それぞれの画素２毎に矩形に形成されている。なお、図示を省略しているが、各画素電極２０２（図３に示した例では、画素電極２０２−１、画素電極２０２−２）の間の領域あるいは画素電極２０２−１、画素電極２０２−２のそれぞれの下面の層（素子基板２２２側の層）には、図１及び図２に示される走査線４、データ線５、共通電極電源配線１５、選択スイッチＴＦＴ２４、コンデンサー２５等が形成されている。
【００３０】
対向基板２２１は、画像を表示する側となり、例えば、ガラス等の透光性を有する基板である。対向基板２２１上に形成される共通電極２０１には、透光性と導電性を有する材質が用いられ、例えばＭｇＡｇ（マグネシウム銀）、ＩＴＯ（インジウム・スズ酸化物）、ＩＺＯ（インジウム・亜鉛酸化物）、カーボンナノチューブ等が用いられる。なお、共通電極２０１は、本実施形態では１個であるが、他の構成例として、本実施形態に係る共通電極２０１の代わりに、複数に分割された複数個の電極が用いられてもよい。これら複数個の電極は、例えば、画素２毎に設けられてもよい。
【００３１】
分散媒２１１としては、例えば、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩、シリコーン又はその他の種々の油類等の単独又はこれらの混合物に界面活性剤等を配合したものを挙げることができる。
【００３２】
白色粒子２１２は、例えば、二酸化チタン、亜鉛華、三酸化アンチモン等の白色顔料からなる粒子（高分子あるいはコロイド）であり、例えば負に帯電されている。白色は、第１色の一例である。また、白色粒子２１２は、第１粒子の一例である。
黒色粒子２１３は、例えば、アニリンブラック、カーボンブラック等の黒色顔料からなる粒子（高分子あるいはコロイド）であり、例えば正に帯電されている。黒色は、第２色の一例である。また、黒色粒子２１３は、第２粒子の一例である。
この構成により、白色粒子２１２及び黒色粒子２１３は、分散媒２１１の中で画素電極２０２−１、画素電極２０２−２のそれぞれと共通電極２０１との間に印加される電圧によって発生する電界の中を移動する。
なお、白色顔料あるいは黒色顔料には、必要に応じて、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等が添加される構成であってもよい。
【００３３】
共通電極２０１の電位（０［Ｖ］）に対して負の電位を画素電極２０２−１、画素電極２０２−２のそれぞれに印加した場合、共通電極２０１から画素電極２０２−１、画素電極２０２−２のそれぞれに向かう電界が生じるため、正に帯電された黒色粒子２１３は、画素電極２０２−１、画素電極２０２−２のそれぞれの側に泳動する。一方、負に帯電された白色粒子２１２は共通電極２０１の側に泳動する。この結果、表示面の側（共通電極２０１の側）には白色粒子２１２が集まることになり、表示面には当該白色粒子２１２に対応する色（白色）が表示される。
【００３４】
逆に、共通電極２０１の電位（０［Ｖ］）に対して正の電位を画素電極２０２−１、画素電極２０２−２のそれぞれに印加した場合、画素電極２０２−１、画素電極２０２−２のそれぞれから共通電極２０１に向かう電界が生じるため、負に帯電された白色粒子２１２は、画素電極２０２−１、画素電極２０２−２のそれぞれの側に泳動する。一方、正に帯電された黒色粒子２１３は、共通電極２０１の側に泳動する。この結果、表示面の側（共通電極２０１の側）には黒色粒子２１３が集まることになり、表示面には当該黒色粒子２１３に対応する色（黒色）が表示される。
なお、電気泳動表示装置１は、白色粒子２１２、黒色粒子２１３に用いる顔料を、例えば、赤色、緑色、青色等の顔料に変えることによって、赤色、緑色、青色等を表示する構成であってもよい。
【００３５】
図３の例では、すべての画素２について共通電極２０１に０［Ｖ］の電位が印加されており、隣り合う２個の画素２の画素電極２０２−１、画素電極２０２−２にそれぞれ異なる電位が印加されている。具体的には、画素電極２０２−１には負の電位（−Ｖ）が印加されており、画素電極２０２−１に対応した画素２の表示面に表示された色は白色になっている。一方、画素電極２０２−２には正の電位（Ｖ）が印加されており、画素電極２０２−２に対応する画素２の表示面に表示された色は黒色になっている。なお、電圧Ｖの具体的な値は、例えば、数［Ｖ］から数十［Ｖ］程度であり、一定であってもよく、時間的に変化してもよい。また、この一例において、正の電圧（Ｖ）と負の電圧（−Ｖ）の絶対値（｜Ｖ｜）が等しい場合について説明しているが、正の電圧と負の電圧の絶対値が互いに異なる構成であってもよい。
【００３６】
＜電気泳動表示装置の概要＞
次に、電気泳動表示装置１の概要について説明する。
電気泳動表示装置１の制御部１０１は、それぞれの画素２について、第１電圧印加を行うことによって当該画素２（の表示面）に第１色を表示させる。第１電圧印加は、複数の画素２のうちの第１色（この一例において、白色）を表示させる対象となる画素２に負の電圧である第１電圧を印加する制御のことである。当該画素２に第１電圧を印加する制御は、この一例において、当該画素２の共通電極２０１に印加する電位を基準（０［Ｖ］）にして当該画素２の画素電極２０２に負の電位を印加する制御のことである。また、制御部１０１は、それぞれの画素２について、第２電圧印加を行うことによって当該画素２（の表示面）に第２色（この一例において、黒色）を表示させる。第２電圧印加は、複数の画素２のうちの第２色を表示させる対象となる画素２に正の電圧である第２電圧を印加する制御のことである。当該画素２に第２電圧を印加する制御は、この一例において、当該画素２の共通電極２０１に印加する電位を基準（０［Ｖ］）にして当該画素２の画素電極２０２に正の電位を印加する制御のことである。以下では、説明の便宜上、画素２の表示面に何らかの色Ｘを表示することを、画素２に色Ｘを表示すると称して説明する。
【００３７】
電気泳動表示装置１は、それぞれの画素２について、以下において説明する第１電圧印加と第２電圧印加とに基づく制御（第１表示制御及び第２表示制御）を行うことにより、第１色及び第２色と異なる第３色を当該画素２に表示する。この一例において、第３色は、第１色と第２色との中間の色である中間色（すなわち、この一例において、白色と黒色の中間調の灰色）である。このような中間色は、電気泳動表示装置１の表示部３の温度に応じて変化する場合がある。電気泳動表示装置１は、このような表示部３の温度に応じた中間色の変化を抑制することができる。
【００３８】
より具体的には、制御部１０１は、中間色を表示させる領域である中間色表示領域に含まれる画素２のうちの一部である第１画素Ｐ１に、第１電圧印加を行って黒色を表示させた後に第２電圧印加を行う第１表示制御を行う。動作を詳しく説明すると、制御部１０１は、第１電圧印加によって共通電極２０１から画素電極２０２に向かう電界を生じさせる。すると、負に帯電した白色粒子２１２が共通電極２０１の側に泳動し、第１画素Ｐ１に白色が表示される。言い換えると、制御部１０１は、白色表示になるまでの時間である時間ｔｓだけ第１電圧印加を継続する。その後、制御部１０１は、第２電圧印加によって画素電極２０２から共通電極２０１に向かう電界を生じさせる。すると、正に帯電した黒色粒子２１３が共通電極２０１の側に泳動する。この際、第１画素Ｐ１に黒色が表示される前のタイミング、言い換えると第２電圧印加を継続する時間である時間ｔａだけ第２電圧印加を継続したタイミングで画素電極２０２に０［Ｖ］を印加すると、電界が消失するので、白色粒子２１２と黒色粒子２１３の泳動が停止する。すると、第１画素Ｐ１に設けられた分散液中において、白色粒子２１２及び黒色粒子２１３が、共通電極２０１と画素電極２０２との間において混ざり合い、第１画素Ｐ１には、白色と黒色との間の色である中間色が表示される。
【００３９】
第１画素Ｐ１に表示される中間色は、第１画素Ｐ１に第１電圧印加によって白色が表示された後の第２電圧印加の時間ｔａが長くなるほど、暗い中間色となる。また、第１画素Ｐ１に表示される中間色は、第２電圧印加が行われている期間において画素電極２０２に印加する電圧波形にも依存する。
【００４０】
また、制御部１０１は、中間色表示領域に含まれる画素２のうちの第１画素Ｐ１と異なる第２画素Ｐ２に、第２電圧印加を行って黒色を表示させた後に第１電圧印加を行う第２表示制御を行う。動作を詳しく説明すると、制御部１０１は、第２電圧印加によって画素電極２０２から共通電極２０１に向かう電界を生じさせる。すると、正に帯電した黒色粒子２１３が共通電極２０１の側に泳動し、第２画素Ｐ２に黒色が表示される。言い換えると、制御部１０１は、黒色表示になるまでの時間である時間ｔｓだけ第２電圧印加を継続する。その後、制御部１０１は、第１電圧印加によって共通電極２０１から画素電極２０２に向かう電界を生じさせる。すると、負に帯電した白色粒子２１２が共通電極２０１の側に泳動する。この際、第２画素Ｐ２に白色が表示される前のタイミング、言い換えると第１電圧印加を継続する時間である時間ｔｂだけ第１電圧印加を継続したタイミングで画素電極２０２に０［Ｖ］を印加すると、電界が消失するので、白色粒子２１２と黒色粒子２１３の泳動が停止する。すると、第２画素Ｐ２に設けられた分散液中において、白色粒子２１２及び黒色粒子２１３が、共通電極２０１と画素電極２０２との間において混ざり合い、第２画素Ｐ２には、白色と黒色との間の色である中間色が表示される。
【００４１】
第２画素Ｐ２に表示される中間色は、第２画素Ｐ２に第２電圧印加によって黒色が表示された後の第１電圧印加の時間ｔｂが長くなるほど、明るい中間色となる。また、第２画素Ｐ２に表示される中間色は、第１電圧印加が行われている期間において画素電極２０２に印加する電圧波形にも依存する。なお、第１表示制御で定めた時間ｔｓ（白色表示になるまで時間）と第２表示制御で定めた時間ｔｓ（黒色表示になるまで時間）が異なる場合は、長い方の時間を改めてｔｓとする。
【００４２】
このようにして、制御部１０１は、中間色表示領域に中間色を表示させる。このように中間色を表示させることで、電気泳動表示装置１は、第１表示制御によって表示された第３色の表示部３の温度変化による変化と、第２表示制御によって表示された第３色の表示部３の温度変化による変化とが互いに逆向きで打ち消しあうため、温度補償を行わずに所望の中間色を表示することができる。本実施形態では、制御部１０１が中間色を表示させる第１表示制御及び第２表示制御と、表示部３の温度に応じた中間色の変化の抑制について詳しく説明する。
【００４３】
＜電気泳動表示装置が表示する中間色＞
以下、図４〜図７を参照し、電気泳動表示装置１が表示する中間色について説明する。この一例における電気泳動表示装置１は、各画素２における反射率を変化させ、黒色から白色までの範囲内の色であって当該反射率に対応した色を表示させる。具体的には、電気泳動表示装置１は、各画素２に印加する電圧の電圧波形を変化させることによって各画素２における反射率を変化させる。
【００４４】
以下では、一例として、電気泳動表示装置１が各画素２の反射率を黒色から白色までの間の反射率に変化させることが可能な場合について説明する。なお、電気泳動表示装置１は、これに代えて、当該反射率を他の数の階調に変化させる構成であってもよい。また、以下では、一例として、電気泳動表示装置１が、各画素２に印加する電圧（第１電圧及び第２電圧）の電圧波形において、当該電圧波形が示す電圧を変化させない場合について説明する。なお、電気泳動表示装置１は、当該電圧波形が示す電圧を変化させる構成であってもよい。
【００４５】
制御部１０１は、第１表示制御において、第１電圧印加によって第１画素Ｐ１に第１電圧を時間ｔｓ印加し、第１画素Ｐ１に白色を表示させた後、第２電圧印加によって第２電圧を時間ｔ１印加する。時間ｔ１は、表示部３の温度が常温である場合の画素２に白色が表示された状態から中間色Ｃ１が表示されるまでの時間であり、実験やシミュレーションによって決められる時間である。常温は、この一例において、２０度前後である。なお、常温は、これに代えて、他の温度であってもよい。中間色Ｃ１は、黒色から白色までの間の反射率である第１中間調の明るさに対応した色である。この場合、第１画素Ｐ１には、中間色Ｃ１が表示される。
【００４６】
また、制御部１０１は、第２表示制御において、第２電圧印加によって第２画素Ｐ２に第２電圧を時間ｔｓ印加し、第２画素Ｐ２に黒色を表示させた後、第１電圧印加によって第１電圧を時間ｔ２印加する。時間ｔ２は、表示部３の温度が常温である場合の画素２に黒色が表示された状態から中間色Ｃ１が表示されるまでの時間であり、実験やシミュレーションによって決められる時間である。この場合、第２画素Ｐ２には、中間色Ｃ１が表示される。
【００４７】
図３において説明した白色粒子２１２と黒色粒子２１３との分散媒２１１中における移動速度（上昇速度及び下降速度）が略同じである場合、時間ｔ１と時間ｔ２は、同じ時間となる。しかし、分散媒２１１中における白色粒子２１２と黒色粒子２１３との移動速度は必ずしも一致しない。そこで、以下では、電気泳動表示装置１において、時間ｔ１と時間ｔ２とが異なる時間である場合について説明する。なお、電気泳動表示装置１において、時間ｔ１と時間ｔ２とは、同じ時間であってもよい。この場合、第１表示制御によって第１画素Ｐ１に表示される中間色と、第２表示制御によって第２画素Ｐ２に表示される中間色とは、異なる色となる。
【００４８】
図４は、表示部３の温度が常温（温度Ｔ１によって示す）である場合において第１表示制御と第２表示制御のそれぞれによって画素２に表示される色の変化の一例を示す図である。図４に示したように、表示部３の温度が常温である場合、第１画素Ｐ１には、白色が表示された状態から第２電圧を時間ｔ１印加されることによって中間色Ｃ１が表示される。一方、第２画素Ｐ２には、黒色が表示された状態から第１電圧を時間ｔ２印加されることによって中間色Ｃ１が表示される。これにより、電気泳動表示装置１は、中間色Ｃ１を表示することができる。
【００４９】
しかし、このようにして各画素２に表示された中間色Ｃ１は、表示部３の温度の変化とともに変化してしまう場合がある。図５は、表示部３の温度が上昇したことによって第１画素Ｐ１に表示された中間色Ｃ１と、第２画素Ｐ２に表示された中間色Ｃ１とのそれぞれの色の変化を例示する図である。
【００５０】
図５に示したように、表示部３の温度が常温よりも高い温度である高温（温度Ｔ２によって示す）である場合において、第１画素Ｐ１に白色を表示させてから第２電圧を時間ｔ１印加すると、第１画素Ｐ１には、中間色Ｃ１よりも暗い（階調が低い）中間色Ｃ２が表示される。高温は、例えば、３０℃程度である。なお、高温は、３０℃程度に代えて、常温よりも高い他の温度であってもよい。中間色Ｃ２に対応する第２中間調は、第１中間調よりも階調がＤ１だけ低い。
【００５１】
また、図５に示したように、表示部３の温度が高温である場合において、第２画素Ｐ２に黒色を表示させてから第２電圧を時間ｔ１印加すると、第２画素Ｐ２には、中間色Ｃ１よりも明るい（階調が高い）中間色Ｃ３が表示される。中間色Ｃ３に対応する第３中間調は、第１中間調よりも階調がＤ２だけ高い。
【００５２】
このような表示部３の温度の上昇に応じた中間色の変化（この一例では、第１画素Ｐ１における中間色Ｃ１→中間色Ｃ２、第２画素Ｐ２における中間色Ｃ１→中間色Ｃ３）は、表示部３の温度が常温から高温に上昇した場合に、分散媒２１１の粘度が低下し、分散媒２１１中の白色粒子２１２及び黒色粒子２１３の移動速度が増加するために生じる。
【００５３】
なお、表示部３の温度が常温よりも低い温度である低温である場合において、第１画素Ｐ１に白色を表示させてから第２電圧を時間ｔ１印加すると、第１画素Ｐ１には、中間色Ｃ１よりも明るい（階調が高い）中間色が表示される。低温は、例えば、１０℃程度である。また、表示部３の温度が低温である場合において、第２画素Ｐ２に黒色を表示させてから第２電圧を時間ｔ１印加すると、第２画素Ｐ２には、中間色Ｃ１よりも暗い（階調が低い）中間色が表示される。なお、低温は、１０℃程度に代えて、常温よりも低い他の温度であってもよい。
【００５４】
表示部３の温度の上昇によって中間色が変化してしまうと、表示部３の温度が常温である場合に各画素２に中間色Ｃ１を表示させることができたとしても、表示部３の温度の変化によって第１画素Ｐ１と第２画素Ｐ２とのそれぞれに互いに異なる色の中間色が表示されてしまう場合がある。このような表示部の温度の変化による中間色の変化を抑制するため、電気泳動表示装置１では、中間色表示領域内において第１画素Ｐ１と第２画素Ｐ２とを所定の条件に基づいて配置する。所定の条件は、例えば、図６に示したように、中間色表示領域内に各画素２を行列（マトリクス）状に配列し（分布させ）、当該行列の奇数行の奇数列及び当該行列の偶数行の偶数列のそれぞれに第１画素Ｐ１を配置し、当該行列の奇数行の偶数列及び当該行列の偶数行の奇数列のそれぞれに第２画素Ｐ２を配置することである。なお、所定の条件は、これに代えて、他の条件であってもよい。
【００５５】
図６は、表示部３の画像が表示される領域のうちの中間色表示領域の一例を示す図である。図６に示した中間色表示領域Ｍ１は、４８個の画素２によって構成される。これら４８個の画素２には、２４個の第１画素Ｐ１と、２４個の第２画素Ｐ２とが含まれている。図６では、第１画素Ｐ１と第２画素Ｐ２とをハッチングの違いによって区別している。図６に示したように、中間色表示領域Ｍ１では、第１画素Ｐ１と第２画素Ｐ２とが所定の条件を満たすように配列（分布）されている。
【００５６】
このように中間色表示領域Ｍ１において第１画素Ｐ１と第２画素Ｐ２とが所定の条件を満たすように配列されている場合に、ユーザーには、中間色表示領域Ｍ１に表示された色が、第１画素Ｐ１に表示された色と第２画素Ｐ２に表示された色との混色として認識される。これは、中間色表示領域Ｍ１から所定距離だけ離れた位置からユーザーが中間色表示領域Ｍ１を見た場合に、第１画素Ｐ１の色を示す光と第２画素Ｐ２の色を示す光とが干渉するために起こる。すなわち、第１画素Ｐ１と第２画素Ｐ２とが所定の条件を満たすように配列された中間色表示領域Ｍ１における光の反射率は、第１画素Ｐ１の反射率と第２画素Ｐ２の反射率とが平均化された反射率となる。
【００５７】
このため、表示部３の温度が常温である場合に中間色表示領域Ｍ１に表示された中間色Ｃ１は、表示部３の温度が常温から高温に変わった場合であっても、第１画素Ｐ１に表示された中間色Ｃ２に対応する反射率と、第２画素Ｐ２に表示された中間色Ｃ３に対応する反射率とが平均化されるため、中間色Ｃ１のまま変化していないとユーザーに認識される。
【００５８】
図７は、ユーザーによって認識される中間色表示領域Ｍ１の色と、第１画素Ｐ１に表示された色と、第２画素Ｐ２に表示された色とのそれぞれの表示部３の温度に応じた変化を例示する図である。図７に示したグラフの横軸は、表示部３の温度を示す。また、当該グラフの縦軸は、中間色に対応する階調を示す。
【００５９】
直線Ｆ１は、第１画素Ｐ１に表示された色に対応する階調の変化であって表示部３の温度の上昇による変化を表す。例えば、表示部３の温度が常温の場合に第１画素Ｐ１に中間色Ｃ１が表示されていた場合、直線Ｆ１は、中間色Ｃ１に対応する階調が表示部３の温度の上昇とともに低くなることを表している。
【００６０】
また、直線Ｆ２は、第２画素Ｐ２に表示された色に対応する階調の変化であって表示部３の温度の上昇による変化を表す。例えば、表示部３の温度が常温の場合に第２画素Ｐ２に中間色Ｃ１が表示されていた場合、直線Ｆ２は、中間色Ｃ１に対応する階調が表示部３の温度の上昇とともに高くなることを表している。
【００６１】
一方、直線Ｆ３は、ユーザーによって中間色表示領域Ｍ１に表示されていると認識される色に対応する階調の変化であって表示部３の温度の上昇による変化を表す。例えば、表示部３の温度が常温の場合に第１画素Ｐ１及び第２画素Ｐ２のそれぞれに中間色Ｃ１が表示されていた場合、直線Ｆ３は、中間色Ｃ１に対応する階調が表示部３の温度に依らず一定であることを表している。
【００６２】
このように、電気泳動表示装置１では、中間色表示領域Ｍ１において所定の条件を満たすように第１画素Ｐ１と第２画素Ｐ２と配列し、第１電圧印加によって第１画素Ｐ１に第１電圧を印加して白色を表示させた後、第２電圧印加によって第２電圧を時間ｔ１印加し、第２電圧印加によって第２画素Ｐ２に第２電圧を印加して黒色を表示させた後、第１電圧印加によって時間ｔ２だけ第１電圧を印加することにより、表示部３の温度による変化であって中間色表示領域Ｍ１に表示される中間色の変化を抑制することができる。
【００６３】
なお、分散媒２１１の粘度が変化することによる分散媒２１１中の白色粒子２１２と黒色粒子２１３とのそれぞれの移動速度の変化は、必ずしも互いに同じ変化量変化するとは限らない。白色粒子２１２の移動速度の変化と、黒色粒子２１３の移動速度の変化とが互いに異なる変化量変化する場合、前述の所定の条件を満たすように第１画素Ｐ１と第２画素Ｐ２とが配列された中間色表示領域Ｍ１の反射率は、表示部３の温度が常温から高温に変化すると変化してしまう。
【００６４】
このような場合、所定の条件によって中間色表示領域Ｍ１に配列される第１画素Ｐ１と第２画素Ｐ２との中間色表示領域Ｍ１における配置割合を変化させることによって、電気泳動表示装置１は、表示部３の温度による変化であって中間色表示領域Ｍ１に表示される中間色の変化を抑制することができる。例えば、表示部３の温度が常温から高温に変化した場合に、第１画素Ｐ１の反射率が１５％上昇し、第２画素Ｐ２の反射率が５％低下する場合、電気泳動表示装置１は、第１画素Ｐ１対第２画素Ｐ２の配置割合を１対３の配置割合とすることによって、表示部３の温度による変化であって中間色表示領域Ｍ１に表示される中間色の変化を抑制することができる。このような当該変化の抑制については、後述する。
【００６５】
また、電気泳動表示装置１をユーザーが使用する際に表示部３の温度が変化する範囲が広い場合、表示部３の温度の変化に応じた第１画素Ｐ１の反射率と第２画素Ｐ２の反射率との差が大きくなり、第１画素Ｐ１に表示された色と第２画素Ｐ２に表示された色とが混色しづらくなることがある。このような場合、例えば、常温を基準として、当該範囲内において５〜１０℃刻みの温度範囲に応じた時間であって第１表示制御における第２制御を行う時間と第２表示制御において第１制御を行う時間とを実験やシミュレーションによって定め、これらの時間と表示部の温度とを対応付けたテーブルとして電気泳動表示装置１に記憶させておくことにより、表示部３の温度による変化であって中間色表示領域Ｍ１に表示される中間色の変化を抑制することができる。この場合、電気泳動表示装置１は、温度検出部を備える。温度検出部は、例えば、温度センサーである。そして、電気泳動表示装置１は、温度検出部により検出された表示部３の温度と、当該テーブルとに基づいて、第１表示制御における第２制御を行う時間と第２表示制御において第１制御を行う時間とを決定し、第１表示制御と第２表示制御を行う。
【００６６】
＜制御部が中間色表示領域に中間色を表示させる処理＞
以下、図８〜図１１を参照し、電気泳動表示装置１が中間色表示領域Ｍ１に中間色Ｃ１を表示させる場合において制御部１０１が行う処理について説明する。図８は、制御部１０１が第１画素Ｐ１に中間色Ｃ１を表示させる第１表示制御の処理の流れの一例を示すフローチャートである。
【００６７】
制御部１０１は、第１画素Ｐ１に対して第１電圧印加を行い、第１画素Ｐ１に白色を表示する（ステップＳ１００）。より具体的には、制御部１０１は、第１画素Ｐ１に対して第１電圧印加を時間ｔｓ１行う。なお、制御部１０１は、時間ｔｓ１が経過したか否かを計時することによって、第１画素Ｐ１に白色が表示されたか否かを判定することができる。
【００６８】
次に、制御部１０１は、第１画素Ｐ１に対して第２電圧印加を行う（ステップＳ１１０）。より具体的には、制御部１０１は、第１画素Ｐ１に対して第２電圧印加を時間ｔ１行い、第１画素Ｐ１に中間色Ｃ１を表示させる。なお、制御部１０１がステップＳ１１０において第１画素Ｐ１に表示させる中間色は、中間色Ｃ１に代えて、他の中間色であってもよい。
【００６９】
次に、制御部１０１は、第１画素Ｐ１に０［Ｖ］を印加し、第１画素Ｐ１に中間色Ｃ１を表示させた状態を保持する（ステップＳ１２０）。
このようにして、制御部１０１は、第１画素Ｐ１に中間色Ｃ１を表示させる。ここで、図９を参照し、制御部１０１が第１表示制御において第１画素Ｐ１に印加する電圧と当該電圧を印加する時間とを示す電圧波形に基づいて図８に示したフローチャートにおける処理の流れを説明する。
【００７０】
図９は、図８に示したフローチャートにおける処理の流れにおいて、第１画素Ｐ１に印加する電圧と当該電圧を印加する時間とを示す電圧波形の一例を示す図である。図９に示したグラフの横軸は、時間を示す。当該グラフの縦軸は、制御部１０１が第１画素Ｐ１に印加する電圧を示す。また、当該グラフの横軸の原点（０秒）は、図８に示したステップＳ１００の開始時間を示す。
【００７１】
図９に示したように、制御部１０１は、図８に示したステップＳ１００において、第１画素Ｐ１に第１電圧（この一例において、−１５［Ｖ］）を時間ｔｓ１印加し、第１画素Ｐ１に白色を表示させる。次に、制御部１０１は、図８に示したステップＳ１１０において、第１画素Ｐ１に第２電圧（この一例において、＋１５［Ｖ］）を時間ｔ１印加し、第１画素Ｐ１に中間色Ｃ１を表示させる。そして、制御部１０１は、図８に示したステップＳ１２０において、第１画素Ｐ１に０［Ｖ］を印加し、第１画素Ｐ１に中間色Ｃ１を表示させた状態を保持する。
【００７２】
図１０は、制御部１０１が第２画素Ｐ２に中間色Ｃ２を表示させる第２表示制御の処理の流れの一例を示すフローチャートである。
【００７３】
制御部１０１は、第２画素Ｐ２に対して第２電圧印加を行い、第２画素Ｐ２に黒色を表示する（ステップＳ２００）。より具体的には、制御部１０１は、第２画素Ｐ２に対して第１電圧印加を時間ｔｓ１行う。なお、制御部１０１は、時間ｔｓ１が経過したか否かを計時することによって、第２画素Ｐ２に黒色が表示されたか否かを判定することができる。
【００７４】
次に、制御部１０１は、第２画素Ｐ２に対して第１電圧印加を行う（ステップＳ２１０）。より具体的には、制御部１０１は、第２画素Ｐ２に対して第１電圧印加を時間ｔ２行い、第２画素Ｐ２に中間色Ｃ１を表示させる。なお、制御部１０１がステップＳ２１０において第２画素Ｐ２に表示させる中間色は、中間色Ｃ１に代えて、他の中間色であってもよい。この場合、第２画素Ｐ２に表示させる中間色は、第１画素Ｐ１に表示させる中間色と同じ色であってもよく、当該中間色と異なる色であってもよい。
【００７５】
次に、制御部１０１は、第２画素Ｐ２に０［Ｖ］を印加し、第２画素Ｐ２に中間色Ｃ２を表示させた状態を保持する（ステップＳ２２０）。
このようにして、制御部１０１は、第２画素Ｐ２に中間色Ｃ２を表示させる。ここで、図１１を参照し、制御部１０１が第２表示制御において第２画素Ｐ２に印加する電圧と当該電圧を印加する時間とを示す電圧波形に基づいて図１０に示したフローチャートにおける処理の流れを説明する。
【００７６】
図１１は、図１０に示したフローチャートにおける処理の流れにおいて、第２画素Ｐ２に印加する電圧と当該電圧を印加する時間とを示す電圧波形の一例を示す図である。図１１に示したグラフの横軸は、時間を示す。当該グラフの縦軸は、制御部１０１が第２画素Ｐ２に印加する電圧を示す。また、当該グラフの横軸の原点（０秒）は、図１０に示したステップＳ２００の開始時間を示す。
【００７７】
図１１に示したように、制御部１０１は、図１０に示したステップＳ２００において、第２画素Ｐ２に第２電圧を時間ｔｓ１だけ印加し、第２画素Ｐ２に黒色を表示させる。次に、制御部１０１は、図１０に示したステップＳ２１０において、第２画素Ｐ２に第１電圧を時間ｔ２だけ印加し、第２画素Ｐ２に中間色Ｃ２を表示させる。そして、制御部１０１は、図１０に示したステップＳ２２０において、第２画素Ｐ２に０［Ｖ］を印加し、第２画素Ｐ２に中間色Ｃ２を表示させた状態を保持する。
【００７８】
なお、図８と図１０とのそれぞれに示したフローチャートの処理は、開始するタイミングが同じタイミングであってもよく、異なるタイミングであってもよい。すなわち、図９に示したタイミングチャートの横軸の原点と、図１１に示したタイミングチャートの横軸の原点とが一致する構成であってもよく、一致しない構成であってもよい。ただし、この場合、第１画素Ｐ１に白色が表示されるタイミングと、第２画素Ｐ２に黒色が表示されるタイミングとは、中間色表示領域Ｍ１における表示のムラを抑制するため、同じであることが望ましい。
【００７９】
また、制御部１０１は、第１表示制御において時間ｔｓ１と時間ｔ１とを足した時間と、第２表示制御において時間ｔｓ１と時間ｔ２とを足した時間とは、中間色表示領域Ｍ１における表示のムラを抑制するため、等しいことが望ましい。これは、時間ｔ１と時間ｔ２とを等しくするか、第１表示制御における時間ｔｓ１と第２表示制御における時間ｔｓ１とを異ならせることによって実現することができる。
【００８０】
＜中間色表示領域における第１画素と第２画素との分布の変形例＞
前述したように、電気泳動表示装置１は、上記で説明した実施形態に係る中間色表示領域Ｍ１において、所定の条件によって配列される第１画素Ｐ１と第２画素Ｐ２との中間色表示領域Ｍ１における配置割合を変化させる構成であってもよい。
【００８１】
例えば、中間色表示領域Ｍ１は、第１画素Ｐ１と第２画素Ｐ２とが、図１２に示したように配列されている構成であってもよい。図１２は、表示部３の画像が表示される領域のうちの中間色表示領域の他の例を示す図である。図１２に示した中間色表示領域Ｍ１には、各画素２が行列（マトリクス）状に配列（分布）され、当該行列の奇数行の奇数列に第１画素Ｐ１が配置され、当該行列の奇数行の偶数列に第２画素Ｐ２を配置され、当該行列の偶数行に第２画素Ｐ２が配置されている。これにより、図１２に示した中間色表示領域Ｍ１は、４８個の画素２によって構成される。すなわち、これら４８個の画素２には、１２個の第１画素Ｐ１と、３６個の第２画素Ｐ２とが含まれている。図１２では、第１画素Ｐ１と第２画素Ｐ２とをハッチングの違いによって区別している。
【００８２】
このように第１画素Ｐ１の数に対する第２画素Ｐ２の数の割合を中間色表示領域Ｍ１において変化させることにより、制御部１０１は、白色粒子２１２の移動速度の変化と、黒色粒子２１３の移動速度の変化とが互いに異なる変化量変化する場合であっても、表示部３の温度による変化であって中間色表示領域Ｍ１に表示される中間色の変化を抑制することができる。また、制御部１０１は、ユーザーによって中間色表示領域Ｍ１に表示されていると認識される中間色を、前述の中間色Ｃ１と異なる中間色にすることもできる。すなわち、制御部１０１は、当該割合を変化させることにより、当該割合に応じた中間色のそれぞれを中間色表示領域に表示させることができる。
【００８３】
図１２に示した例では、中間色表示領域Ｍ１において第１画素Ｐ１の数が第２画素Ｐ２の数よりも少ないため、ユーザーによって中間色表示領域Ｍ１に表示されていると認識される中間色が、前述の中間色Ｃ１よりも暗い灰色となる。これは、中間色表示領域Ｍ１において、中間色Ｃ３を表示する第２画素Ｐ２の数が多いためである。また、例えば、図１２に示した例において第１画素Ｐ１と第２画素Ｐ２とを入れ替えた場合、ユーザーによって中間色表示領域Ｍ１に表示されていると認識される中間色は、中間色Ｃ１よりも明るい灰色となる。これは、中間色表示領域Ｍ１において、中間色Ｃ２を表示する第１画素Ｐ１の数が多いためである。
【００８４】
＜中間色表示領域において画素間のＤＣ（Direct  Current）印加バランスを均一化する方法＞
上記において説明した実施形態に係る電気泳動表示装置１では、中間色表示領域Ｍ１における第１画素Ｐ１と第２画素Ｐ２との分布が、中間色表示領域Ｍ１において予め決められており、当該分布が固定されている構成であってもよい。しかし、この場合、電気泳動表示装置１では、画素２間のＤＣ印加バランスが不均一となる場合（焼き付きが生じる場合）がある。
【００８５】
これに対し、制御部１０１が中間色を表示するたびに中間色表示領域Ｍ１において第１画素Ｐ１と第２画素Ｐ２とのそれぞれの位置を時間の経過とともに変更する場合、ＤＣ印加バランスを均一化することができる。ここでは、このＤＣ印加バランスを均一化する方法について説明する。
【００８６】
制御部１０１は、ＤＣ印加バランスを均一化するため、中間色表示領域Ｍ１において第１画素Ｐ１の数に対する第２画素Ｐ２の数の割合を変化させずに、中間色表示領域Ｍ１における第１画素Ｐ１と第２画素Ｐ２との分布を変化させる。例えば、中間色表示領域Ｍ１において第１画素Ｐ１と第２画素Ｐ２とが図６に示したように分布している場合、制御部１０１は、図１３に示すように第１画素Ｐ１と第２画素Ｐ２との分布を変化させる。前述したように、制御部１０１は、第１表示制御を行う対象である画素２（すなわち、第１画素Ｐ１）の位置と、第２表示制御を行う対象である画素２（すなわち、第２画素Ｐ２）の位置とを示したテーブルを参照することにより、このような第１画素Ｐ１と第２画素Ｐ２との分布を変化させる。図１３は、中間色表示領域Ｍ１において第１画素Ｐ１の数に対する第２画素Ｐ２の数の割合を変化させずに、中間色表示領域Ｍ１における第１画素Ｐ１と第２画素Ｐ２との分布を変化させる方法の一例を説明する図である。
【００８７】
図１３に示した左図は、図６に示した中間色表示領域Ｍ１のうちの一部、すなわち２行２列のマトリクス状に配置された２個の第１画素Ｐ１と２個の第２画素Ｐ２とを示す図Ｓｔ１１である。また、図１３に示した右図は、図Ｓｔ１１の第１画素Ｐ１の位置と第２画素Ｐ２の位置とを入れ替えた（切り替えた）図Ｓｔ１２である。制御部１０１は、所定時間が経過する毎に、中間色表示領域Ｍ１内の第１画素Ｐ１と第２画素Ｐ２との分布を、図Ｓｔ１１に示した分布から図Ｓｔ１２に示した分布へと変化させ、図Ｓｔ１２に示した分布から図Ｓｔ１１に示した分布へと変化させる。すなわち、制御部１０１は、所定時間が経過する毎に、各画素２について行う制御を、第１表示制御と第２表示制御とで切り替える。これにより、制御部１０１は、ＤＣ印加バランスを均一化することができる。
【００８８】
また、例えば、中間色表示領域Ｍ１において第１画素Ｐ１と第２画素Ｐ２とが図１２に示したように分布している場合、制御部１０１は、図１４に示すように第１画素Ｐ１と第２画素Ｐ２との分布を変化させる。図１４は、中間色表示領域Ｍ１において第１画素Ｐ１の数に対する第２画素Ｐ２の数の割合を変化させずに、中間色表示領域Ｍ１における第１画素Ｐ１と第２画素Ｐ２との分布を変化させる方法の他の例を説明する図である。
【００８９】
図１４に示した左上図は、図１２に示した中間色表示領域Ｍ１のうちの一部、すなわち２行２列のマトリクス状に配置された２個の第１画素Ｐ１と２個の第２画素Ｐ２とを示す図の一例である図Ｓｔ２１である。また、図１４に示した右上図は、図Ｓｔ２１の第１画素Ｐ１を、当該マトリクスの１行２列目の第２画素Ｐ２と入れ替えた図Ｓｔ２２である。また、図１４に示した右下図は、図Ｓｔ２２の第１画素Ｐ１を、当該マトリクスの２行２列目の第２画素Ｐ２と入れ替えた図Ｓｔ２２である。また、図１４に示した左下図は、図Ｓｔ２３の第１画素Ｐ１を、当該マトリクスの２行１列目の第２画素Ｐ２と入れ替えた図Ｓｔ２４である。
【００９０】
制御部１０１は、所定時間が経過する毎に、中間色表示領域Ｍ１内の第１画素Ｐ１と第２画素Ｐ２との分布を、図Ｓｔ２１が示す分布、図Ｓｔ２２が示す分布、図Ｓｔ２３が示す分布、図Ｓｔ２４が示す分布の順に循環的に変化させる。すなわち、制御部１０１は、所定時間が経過する毎に、中間色表示領域Ｍ１に含まれる画素２について行う制御を、第１表示制御と第２表示制御とで切り替える。これにより、制御部１０１は、ＤＣ印加バランスを均一化することができる。
【００９１】
＜実施形態の補足＞
電気泳動表示装置１は、前述の温度検出部を備えている場合、温度検出部が検出した表示部３の温度に応じて第１画素Ｐ１に対する第２電圧印加における電圧波形と、第２画素Ｐ２に対する第１電圧印加における電圧波形とのうちいずれか一方又は両方を変化させる構成であってもよい。例えば、電気泳動表示装置１は、当該温度に応じて第１画素Ｐ１に対して第２電圧印加を行う時間を、図９に示した時間ｔ１と異なる他の時間ｔ１１に変更し、当該電圧波形を変化させるとともに、当該温度に応じて第２画素Ｐ２に対して第１電圧印加を行う時間を、図１１に示した時間ｔ２と異なる他の時間ｔ２１に変更し、当該電圧波形を変化させる。時間ｔ１１は、時間ｔ２１と異なる時間であってもよく、時間ｔ２１と同じ時間であってもよい。
【００９２】
これにより、電気泳動表示装置１は、第１画素Ｐ１の中間色に対応する階調と、第２画素Ｐ２の中間色に対応する階調とのうちいずれか一方又は両方を表示部３の温度に応じて変化させ、表示部３の温度に応じた変化であってユーザーによって中間色表示領域Ｍ１に表示されていると認識される中間色の変化を打ち消すことができる。例えば、ユーザーによって中間色表示領域Ｍ１に表示されていると認識される中間色が表示部３の温度に応じて明るくなる場合、電気泳動表示装置１は、第１画素Ｐ１と第２画素Ｐ２とのうちいずれか一方又は両方を暗くすることにより、当該中間色を所望の中間色のまま保持することができる。また、ユーザーによって中間色表示領域Ｍ１に表示されていると認識される中間色が表示部３の温度に応じて暗くなる場合、電気泳動表示装置１は、第１画素Ｐ１と第２画素Ｐ２とのうちいずれか一方又は両方を明るくすることにより、当該中間色を所望の中間色のまま保持することができる。
【００９３】
なお、電気泳動表示装置１は、温度検出部が検出した表示部３の温度に応じて第１画素Ｐ１に対する第１表示制御における第１電圧印加と第２電圧印加とのうちいずれか一方又は両方における電圧波形と、第２画素Ｐ２に対する第２表示制御における第１電圧印加と第２電圧印加とのうちいずれか一方又は両方における電圧波形とのうちいずれか一方又は両方を変化させる構成であってもよい。
また、上記で説明した実施形態及び実施形態の変形例では、縦電界方式の電気泳動表示装置１について説明したが、これに代えて、電気泳動表示装置１は、横電界方式であってもよい。
【００９４】
＜第２実施形態＞
図１５〜図１７は、本発明の第２実施形態に係る電子機器の構成の一例を示す図である。第２実施形態では、以上の第１実施形態に係る電気泳動表示装置１を適用した電子機器の具体例を示す。
【００９５】
図１５は、電子機器の一例である電子ブック５０１を示す斜視図である。
電子ブック５０１は、ブック形状のフレーム５１１と、第１実施形態に係る電気泳動表示装置１が適用された表示部５１２と、操作部５１３を備える。
図１６は、電子機器の一例である腕時計５５１を示す斜視図である。
腕時計５５１は、第１実施形態に係る電気泳動表示装置１が適用された表示部５６１を備える。
図１７は、電子機器の一例である電子ペーパー５７１を示す斜視図である。
電子ペーパー５７１は、紙と同様の質感および柔軟性を有するリライタブルシートで構成される本体部５８１と、第１実施形態に係る電気泳動表示装置１が適用された表示部５８２を備える。
なお、第１実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００９６】
以上のように、第２実施形態に係る電子機器では、第１実施形態に係る電気泳動表示装置１と同様な効果を得ることができる。
【００９７】
以上説明したように、第１実施形態に係る電気泳動表示装置１（又は電気泳動表示装置１を駆動する駆動装置、第２実施形態に係る電子機器）は、それぞれの画素２について、第２電極（この一例において、共通電極２０１）から第１電極（この一例において、画素電極２０２）に向かう電界を生じさせる電圧（この一例において、第１電圧）を印加する第１電圧印加によって当該画素２の表示面に第１色（この一例において、白色）を表示させ、第２電極から第１電極へ向かう電界を生じさせる電圧（この一例において、第２電圧）を印加する第２電圧印加によって当該画素２の表示面に第１色と異なる第２色（この一例において、黒色）を表示させ、第１色及び第２色と異なる第３色（この一例において、中間色Ｃ５）を表示させる領域（この一例において、中間色表示領域Ｍ１）を構成する複数の当該表示面のそれぞれに対応する画素２のうちの一部である第１画素Ｐ１のそれぞれについて、第１電圧印加を行って第１色を表示させた後に第２電圧印加を行う第１表示制御を行い、当該画素２のうちの第１画素Ｐ１と異なる第２画素Ｐ２のそれぞれについて、第２電圧印加を行って第２色を表示させた後に第１電圧印加を行う第２表示制御を行うことにより、当該領域に第３色を表示させる。これにより、電気泳動表示装置１は、温度による第１色の変化と、当該温度による第２色の変化とが打ち消しあうため、温度補償を行わずに所望の第３色を表示することができる。
【００９８】
また、電気泳動表示装置１は、第３色を表示させる領域における第１画素Ｐ１の数に対する第２画素Ｐ２の数の割合を変化させ、当該割合に応じた第３色を当該領域に表示させる。これにより、電気泳動表示装置１は、第３色を表示させる領域における第１画素Ｐ１の数に対する第２画素Ｐ２の数の割合に応じた第３色を表示することができる。
【００９９】
また、電気泳動表示装置１は、温度検出部が検出した温度に応じて、第３色を表示させる領域における第１画素Ｐ１の数に対する第２画素Ｐ２の数の割合を変化させ、当該割合に応じた第３色を当該領域に表示させる。これにより、電気泳動表示装置１は、温度変化があっても、より確実に所望の第３色を表示することができる。
【０１００】
また、電気泳動表示装置１は、温度検出部が検出した温度に応じて、第１画素Ｐ１に対する第２電圧印加における電圧波形と、第２画素Ｐ２に対する第１電圧印加における電圧波形とを変化させる。これにより、電気泳動表示装置１は、温度変化があっても、より確実に所望の第３色を表示することができる。
【０１０１】
また、電気泳動表示装置１は、所定時間が経過する毎に、それぞれの画素２について行う制御を、第１表示制御と第２表示制御とで切り替える。これにより、電気泳動表示装置１は、ＤＣ印加バランスを均一化することができる。
【０１０２】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【０１０３】
１…電気泳動表示装置、２…画素、３、５１２、５６１、５８２…表示部、４…走査線、５…データ線、６…走査線駆動回路、７…データ線駆動回路、１５…共通電極電源配線、１０１…制御部、２４…選択スイッチＴＦＴ、２５…コンデンサー、Ｐ１…第１画素、Ｐ２…第２画素、１１１…画像生成部、２０１…共通電極、２０２、２０２−１、２０２−２…画素電極、２１１…分散媒、２１２…白色粒子、２１３…黒色粒子、２２１…対向基板、２２２…素子基板、２２３−１、２２３−２…隔壁、３０１〜３０３、３１１〜３１３…電圧を示す線、５０１…電子ブック、５１１…フレーム、５１３…操作部、５５１…腕時計、５７１…電子ペーパー、５８１…本体部
【図１】
2017138365.tif 000003
【図２】
2017138365.tif 000004
【図３】
2017138365.tif 000005
【図４】
2017138365.tif 000006
【図５】
2017138365.tif 000007
【図６】
2017138365.tif 000008
【図７】
2017138365.tif 000009
【図８】
2017138365.tif 000010
【図９】
2017138365.tif 000011
【図１０】
2017138365.tif 000012
【図１１】
2017138365.tif 000013
【図１２】
2017138365.tif 000014
【図１３】
2017138365.tif 000015
【図１４】
2017138365.tif 000016
【図１５】
2017138365.tif 000017
【図１６】
2017138365.tif 000018
【図１７】
2017138365.tif 000019